(57)【要約】【課題】情報供給源からの情報のうちの選択されたものについて、編集再記録操作等の煩わしい操作を要することなく、それにおける所望の情報区分のみ保存して、その後の再生に供することができるものとする。【解決手段】ＴＶ放送局１１からの番組データから得られる番組情報を保存するＨＤＤ３６と、ＨＤＤ３６から再生された番組情報の内容を認識可能に出力する番組情報再生部３８と、番組情報再生部３８により内容が出力される番組情報における選択された情報区分をあらわす区分データを含む再送要求データを形成する動作制御部３３と、選択された情報区分の再送を要求すべく、再送要求データに基づく送信用再送要求データをＴＶ放送局１１へと送信するモデム部４２と、送信用再送要求データに応じて再送されたＴＶ放送局１１からの情報区分を保存するＨＤＤ４４と、を備える。【選択図】図１
2005223376.tif 000002
【特許請求の範囲】
【請求項１】
情報供給源からの情報のうちの選択されたものを保存する第１のメモリ手段と、
該第１のメモリ手段から再生された情報の内容を認識可能に出力する状態をとる出力手段と、
該出力手段により内容が認識可能に出力される情報における選択された情報区分をあらわす区分データを含む再送要求データを形成するデータ形成手段と、
上記選択された情報区分の再送を要求すべく、上記再送要求データに基づく送信用再送要求データを上記情報供給源へと送信するデータ送信手段と、
上記送信用再送要求データに応じて再送された上記情報供給源からの情報区分を保存する第２のメモリ手段と、
を備えて構成される情報保存処理装置。
【請求項２】
上記出力手段が、上記第２のメモリ手段から再生された情報区分の内容を認識可能に出力する状態をとることを特徴とする請求項１記載の情報保存処理装置。
【請求項３】
上記第１のメモリ手段における上記情報のうちの選択されたものの保存及び再生，上記データ形成部手段による上記再送要求データの形成，上記データ送信手段による上記送信用再送要求データの送信、及び、上記第２のメモリ手段における上記情報区分の保存及び再生についての制御を行う動作制御手段を備えることを特徴とする請求項２記載の情報保存処理装置。
【請求項４】
上記データ形成手段により形成される再送要求データを保存する第３のメモリ手段を備えることを特徴とする請求項１記載の情報保存処理装置。
【請求項５】
上記出力手段が、上記第３のメモリ手段から再生された再送要求データの内容を認識可能に出力する状態をとることを特徴とする請求項４記載の情報保存処理装置。
【請求項６】
上記第１のメモリ手段における上記情報のうちの選択されたものの保存及び再生，上記データ形成部手段による上記再送要求データの形成，上記データ送信手段による上記送信用再送要求データの送信，上記第２のメモリ手段における上記情報区分の保存及び再生、及び、上記第３のメモリ手段における上記再送要求データの保存及び再生についての制御を行う動作制御手段を備えることを特徴とする請求項５記載の情報保存処理装置。
【請求項７】
上記第１のメモリ手段及び上記第２のメモリ手段の夫々が別個の情報記録媒体によって形成されることを特徴とする請求項１記載の情報保存処理装置。
【請求項８】
上記第１のメモリ手段及び上記第２のメモリ手段が共通の情報記録媒体における互いに異なる記録領域によって夫々形成されることを特徴とする請求項１記載の情報保存処理装置。
【請求項９】
上記情報供給源が放送局とされ、上記情報供給源からの情報が上記放送局からの番組情報とされることを特徴とする請求項１記載の情報保存処理装置。
【請求項１０】
上記送信用再送要求データが、上記区分データに加えて、放送局を特定するデータ及び番組情報を特定するデータを含んで構成されることを特徴とする請求項９記載の情報保存処理装置。
【発明の詳細な説明】
【技術分野】
【０００１】
本願の特許請求の範囲に記載された発明は、放送局等の情報供給源からの情報のうちの所望のものを受けてメモリ手段により保存し、保存された情報をメモリ手段から再生してその内容を表示手段あるいは音声発生手段等の出力手段を通じて認識できるものとする情報保存処理装置に関する。
【背景技術】
【０００２】
テレビジョン放送局もしくはラジオ放送局等の放送局から放送される番組情報のうちの選択されたものを受信装置によって受け、記録再生装置を用いて記録媒体に記録することは、広く一般に行われている。こうした、番組情報の記録媒体への記録は、それを行った者が、当該番組情報の放送後に、その内容を画像表示装置もしくは音声発生装置を通じて視るもしくは聴くという、非商業的使用に供することを目的とするものであることが多い。即ち、多くの場合、放送局から放送されて記録媒体に記録された番組情報は、その後、記録媒体から再生されてその内容が視聴もしくは聴取される、個人的あるいは家庭内使用に供されるのである。
【０００３】
斯かるもとで、記録媒体に記録された番組情報が記録媒体から再生され、その内容が視聴もしくは聴取されるにあたり、視聴者もしくは聴取者にとって、記録媒体から再生される番組情報の内容の全部が望むものであることは稀であり、通常にあっては、興味の対象あるいは所望のものは、記録媒体から再生される番組情報のうちの特定の情報区分の内容であることが殆どである。それゆえ、端的に言えば、記録媒体に記録された番組情報のうちの特定の情報区分以外の部分は、本来不要なものであるといえるのであるが、その特定の情報区分の内容を視聴もしくは聴取できるようにするため、記録媒体に記録された番組情報の全部が保存されることになる。それにより、言わば、利用効率が低い記録媒体が蓄積されていく結果がもたらされる。
【０００４】
勿論、一旦記録媒体に記録された番組情報についての編集処理を行い、当該番組情報のうちの特定の情報区分のみを別の記録媒体に記録し直すということも可能であるが、それには然るべき編集装置を準備することが必要とされるとともに相当の煩わしさを伴うことになってしまう。それゆえ、一般には、利用効率が低い記録媒体の蓄積を回避すべく、編集処理を行って記録し直すという方策はとられない。
【０００５】
また、近年は、テレビジョン放送番組情報等を、視聴者の意向に応じて提供する情報提供サービルも提案されている。このような情報提供サービルによれば、例えば、テレビジョン放送番組情報を受ける視聴者が、見逃してしまったテレビジョン放送番組情報の提供を要求すると、その要求に応じて、既に放送されたテレビジョン放送番組情報が提供される（非特許文献１参照。）。従って、視聴者は、自分でテレビジョン放送番組情報の記録媒体への記録を行わなくても、所望のテレビジョン放送番組情報について、その放送後における提供を受けることができることになる。
【０００６】
しかしながら、斯かる情報提供サービスを利用するとしても、各番組情報単位での提供を受けることができるのであって、或る番組情報のうちの特定の情報区分だけを効率よく提供してもらうことはできない。それゆえ、興味の対象あるいは所望のものである特定の情報区分の内容を視聴もしくは聴取できるようにするため、当該情報区分に加えて本来不要である他の部分をも含んだ番組情報全体の提供を受けることになるという効率の悪さを覚悟しなければならない。
【非特許文献１】「マルチメディア事典」初版１９９６年１月１０日，ｐ．１５９及びｐ．７７９，株式会社産業調査会発行
【発明の開示】
【発明が解決しようとする課題】
【０００７】
上述よりして、テレビジョン放送局，ラジオ放送局等の放送局から放送される番組情報のうちの選択されたものを情報記録媒体に記録し、記録された番組情報の内容を視聴もしくは聴取するに際しては、煩わしい編集再記録操作等を要することなく、選択された番組情報における所望の情報区分についてのみ保存して、その後の再生に供することができるようにされること、が望まれるところとなる。選択された番組情報における所望の情報区分についてのみ保存することが容易にできるとなれば、利用効率が低い記録媒体の蓄積の回避にもつながる。
【０００８】
しかしながら、従来にあっては、このような要求に適うものとされた、テレビジョン放送局，ラジオ放送局等の放送局から放送される番組情報等についての保存と再生とを、編集再記録操作等を伴うことなく容易に行うことができるシステムは見当たらない。
【０００９】
斯かる点に鑑み、本願の特許請求の範囲に記載された発明は、放送局等の情報供給源からの番組情報等の情報のうちの選択されたものについて、例えば、編集再記録操作等の煩わしい操作を要することなく、それにおける所望の情報区分のみ保存して、その後の再生に供することができる情報保存処理装置を提供する。
【課題を解決するための手段】
【００１０】
本願の特許請求の範囲における請求項１から請求項１０までのいずれかに記載された発明に係る情報保存処理装置は、情報供給源からの情報のうちの選択されたものを保存する第１のメモリ手段と、第１のメモリ手段から再生された情報の内容を認識可能に出力する状態をとる出力手段と、出力手段により内容が認識可能に出力される情報における選択された情報区分をあらわす区分データを含む再送要求データを形成するデータ形成手段と、選択された情報区分の再送を要求すべく、データ形成手段により形成された再送要求データに基づく送信用再送要求データを情報供給源へと送信するデータ送信手段と、送信用再送要求データに応じて再送された情報供給源からの情報区分を保存する第２のメモリ手段と、を備えて構成される。
【００１１】
特に、請求項２に記載された発明に係る情報保存処理装置にあっては、出力手段が、第２のメモリ手段から再生された情報区分の内容を認識可能に出力する状態もとるものとされる。
【００１２】
上述のような本願の特許請求の範囲における請求項１から請求項１０までのいずれかに記載された発明に係る情報保存処理装置にあっては、例えば、テレビジョン放送局もしくはラジオ放送局とされる情報供給源からの番組情報等の情報のうちの選択されたものが、例えば、情報記録媒体によって形成される第１のメモリ手段に保存される。続いて、第１のメモリ手段に保存された情報が第１のメモリ手段から再生され、その再生された情報の内容が、出力手段によって、例えば、視聴もしくは聴取できるように、認識可能に出力される。
【００１３】
そして、例えば、第１のメモリ手段から再生された情報の内容が出力手段によって認識可能に出力されるもとで、例えば、装置の使用者によって、出力手段により内容が認識可能に出力される情報における所望の情報区分が選択され、データ形成手段により、選択された情報区分をあらわす区分データを含む再送要求データが形成される。次に、データ送信手段により、データ形成手段により形成された再送要求データに基づいて得られる送信用再送要求データが情報供給源へと送出され、それにより、情報供給源に対する選択された情報区分についての再送要求がなされる。
【００１４】
その後、送信用再送要求データに応じて再送された情報供給源からの情報区分が、例えば、情報記録媒体によって形成される第２のメモリ手段に保存される。このようにして、第２のメモリ手段に保存された情報区分は、第１のメモリ手段から再生された情報における所望の情報区分として選択されたものであり、例えば、請求項２に記載された発明に係る情報保存処理装置の場合のように、第２のメモリ手段から再生され、その再生された情報区分の内容が、出力手段によって、例えば、視聴もしくは聴取できるように、認識可能に出力される。
【発明の効果】
【００１５】
上述のとおりの本願の特許請求の範囲における請求項１から請求項１０までのいずれかに記載された発明に係る情報保存処理装置によれば、例えば、テレビジョン放送局もしくはラジオ放送局とされる情報供給源からの番組情報等の情報のうちの選択されたものが第１のメモリ手段に保存されるとともに、第１のメモリ手段に保存された情報のうちの所望のものとして選択された情報区分のみが第２のメモリ手段に保存され、その後の再生に供することができる状態におかれるので、第２のメモリ手段による選択された情報区分の保存が行われた後には、第１のメモリ手段に保存された情報を消去してしまうことができる。そして、第２のメモリ手段による選択された情報区分の保存は、データ送信手段から送信用再送要求データが情報供給源へと送出され、情報供給源がその送信用再送要求データに応答することに基づいて行われる。
【００１６】
従って、放送局等の情報供給源からの番組情報等の情報のうちの選択されたものについて、例えば、編集再記録操作等の煩わしい操作を要することなく、当該情報のうちの所望のものとして選択された情報区分のみ保存して、その後の再生に供することができることになる。また、第１のメモリ手段に保存された情報については消去してしまうことができることにより、第１のメモリ手段を情報供給源からの情報のうちの選択されたものについての保存に繰り返し用いることができ、斯かる点からも、利用効率が低い記録媒体の蓄積を回避できる結果がもたらされる。
【発明を実施するための最良の形態】
【００１７】
本願の特許請求の範囲に記載された発明を実施するための最良の形態は、以下に述べられる実施例をもって説明される。
【実施例】
【００１８】
図１は、本願の特許請求の範囲における請求項１から請求項１０までのいずれかに記載された発明に係る情報保存処理装置の一例を、テレビジョン放送番組情報を送受信する情報送受信システムに適用された状態をもって示す。なお、以下においては、テレビジョンをＴＶという。
【００１９】
図１に示される情報送受信システムにあっては、情報供給源を成すＴＶ放送局１１と、本願の特許請求の範囲における請求項１から請求項１０までのいずれかに記載された発明に係る情報保存処理装置の一例である情報保存処理装置１２とが、情報通信網であるインターネット１３を介して相互連結されている。ＴＶ放送局１１は、ＴＶ放送番組情報を送信し、また、情報保存処理装置１２は、ＴＶ放送局１１からのＴＶ放送番組情報についての保存処理を行うものとされている。
【００２０】
ＴＶ放送局１１においては、番組データ形成部２１によりＴＶ放送番組情報である番組データが形成される。そして、番組データ形成部２１から得られる番組データは、番組データ送出部２２により、アンテナ２３を通じて送信されるとともに、番組データバックアップ部２４において保存される。番組データバックアップ部２４には、情報区分送信部２５が接続されている。番組データ形成部２１により形成される番組データは、各番組毎に、例えば、図２に示されるように、ＴＶ放送局を特定する放送局識別データ（ＩＤＳ）と番組を特定する番組識別データ（ＩＤＰ）と番組情報をあらわす番組本体データとを含んで構成され、番組本体データはその始端からの時間をあらわすタイムスタンプデータが付されたものとされる。
【００２１】
情報保存処理装置１２においては、ＴＶ放送局１１からそのアンテナ２３を通じて送信される番組データが、アンテナ３１により受けられて、チューナ部３２に供給される。チューナ部３２は、アンテナ３１により受けらる番組データについての、動作制御部３３からの制御信号ＳＴに応じた選択受信を行い、選択された番組データＤＰを得て、それをディジタル情報信号形成部３４に供給する。斯かる選択された番組データＤＰも、勿論、放送局識別データと番組識別データと番組情報をあらわす番組本体データとを含んで構成されたものとされる。
【００２２】
ディジタル情報信号形成部３４は、チューナ部３２からの選択された番組データＤＰに基づくディジタル情報信号ＤＩを形成する。このディジタル情報信号ＤＩは，選択された番組データＤＰに含まれる情報本体データがあらわす番組情報に応じたものとされる。それにより、ディジタル情報信号形成部３４からは、選択された番組データＤＰに含まれる情報本体データがあらわす番組情報が、ディジタル情報信号ＤＩの姿をもって得られることになる。
【００２３】
ディジタル情報信号形成部３４から得られるディジタル情報信号ＤＩは、スイッチ３５の選択接点３５ａに供給されるとともに、メモリ手段を形成する情報記録媒体であるハードディスクを内蔵したメモリ部を構成するハードディスクドライブ部（以下、ＨＤＤという。）３６に供給する。ＨＤＤ３６にあっては、動作制御部３３からの記録制御信号ＰＷに応じて、ディジタル情報信号ＤＩのハードディスクへの記録が行われ、ディジタル情報信号ＤＩが、ＨＤＤ３６に内蔵されたハードディスクにより形成されるメモリ手段に保存されることになる。
【００２４】
ＨＤＤ３６に内蔵されたハードディスクに記録されたディジタル情報信号ＤＩは、動作制御部３３からの読出制御信号ＰＲに応じて、ハードディスクから読み出され、ディジタル情報信号ＤＩが、ＨＤＤ３６に内蔵されたハードディスクにより形成されるメモリ手段から再生されることになる。ＨＤＤ３６に内蔵されたハードディスクから読み出されたディジタル情報信号ＤＩは、ＨＤＤ３６からスイッチ３５の選択接点３５ｂに供給される。
【００２５】
スイッチ３５は、その可動接点３５ｃが、動作制御部３３からの制御信号ＳＳによって制御され、選択接点３５ａに接続される状態と選択接点３５ｂに接続される状態とを選択的にとる。可動接点３５ｃが選択接点３５ａに接続されるときには、ディジタル情報信号形成部３４からのディジタル情報信号ＤＩが選択接点３５ａを通じて可動接点３５ｃに導出され、ディジタル情報信号形成部３４からのディジタル情報信号ＤＩがスイッチ３５から得られる。また、可動接点３５ｃが選択接点３５ｂに接続されるときには、ＨＤＤ３６からのディジタル情報信号ＤＩが選択接点３５ｂを通じて可動接点３５ｃに導出され、ＨＤＤ３６からのディジタル情報信号ＤＩがスイッチ３５から得られる。
【００２６】
スイッチ３５から得られるディジタル情報信号ＤＩは、ディジタル／アナログ（以下、Ｄ／Ａという。）変換部３７に供給され、Ｄ／Ａ変換部３７からディジタル情報信号ＤＩに基づくアナログ信号である番組情報信号ＳＰが得られて、番組情報再生部３８に供給される。番組情報再生部３８は、番組情報信号ＳＰがあらわす情報の内容を認識可能に出力する状態をとる出力手段を形成しており、例えば、画像表示部と音声発生部とを内蔵したものとされる。
【００２７】
番組情報再生部３８にあっては、内蔵された画像表示部において番組情報信号ＳＰに基づくＴＶ放送番組画像、即ち、チューナ部３２から得られる選択された番組データＤＰに含まれる番組本体データに基づくＴＶ放送番組画像が表示されるとともに、内蔵された音声発生部において番組情報信号ＳＰに基づくＴＶ放送番組音声、即ち、チューナ部３２から得られる選択された番組データＤＰに含まれる番組本体データに基づくＴＶ放送番組音声が発せられる。画像表示部においてＴＶ放送番組画像が表示されるときには、当該画像表示部に、チューナ部３２から得られる選択された番組データＤＰに含まれる番組本体データに付されたタイムスタンプデータがあらわす時間が表示される。
【００２８】
番組情報再生部３８にＨＤＤ３６からのディジタル情報信号ＤＩに基づく番組情報信号ＳＰが供給され、番組情報再生部３８に内蔵された画像表示部において番組本体データに基づくＴＶ放送番組画像及びタイムスタンプデータがあらわす時間が表示されるもとで、例えば、情報保存処理装置１２の使用者により、表示されるＴＶ放送番組画像のうちの再度見たいと所望する区分を選択し、選択した区分の始端と終端とをそれらに対応するタイムスタンプデータで特定する操作が行われる。斯かる操作は、ＨＤＤ３６からのディジタル情報信号ＤＩの姿をとる番組情報のうちの所望の情報区分を選択して、その情報区分の始端と終端とを特定する操作であり、斯かる特定は、入力操作部３９が操作されて得られる、ＨＤＤ３６からのディジタル情報信号ＤＩの姿をとる番組情報についての放送局及び番組を夫々あらわすデータ，選択された情報区分の始端及び終端に夫々対応する始端及び終端タイムスタンプデータ等が、入力操作部３９から動作制御部３３に対する入力データＤＸとして供給されることにより行われる。
【００２９】
動作制御部３３にあっては、入力操作部３９から放送局及び番組を夫々あらわすデータ，選択された情報区分についての始端及び終端タイムスタンプデータ等が入力データＤＸとして供給されると、内蔵された再送要求データ形成手段が、入力データＤＸに基づく放送局識別データ，番組識別データ，選択された情報区分の始端をあらわす始端タイミングデータ，選択された情報区分の終端をあらわす終端タイミングデータ，始端タイミングデータと終端タイミングデータとの組の数、即ち、選択された情報区分の数をあらわす区分数データ、及び、選択された情報区分を識別する区分識別データを、ＴＶ放送局１１に対する選択された情報区分についての再送の要求に供される、データ群を成す再送要求データＤＲＱとして形成し、それをメモリ手段であるフラッシュメモリ部４０に供給する。このようにして、動作制御部３３に内蔵された再送要求データ形成手段によって形成され、フラッシュメモリ部４０に供給される再送要求データＤＲＱは、１個（１データ群）もしくは複数個（複数データ群）とされる。
【００３０】
上述のようにして、ＨＤＤ３６からのディジタル情報信号ＤＩの姿をとる番組情報のうちの所望の情報区分の選択が終了し、動作制御部３３における再送要求データ形成手段による選択された情報区分についての再送要求データＤＲＱの形成がなされた後には、ＨＤＤ３６に内蔵されたハードディスクに保存されたディジタル情報信号ＤＩは、必要に応じて、動作制御部３３からＨＤＤ３６に供給される消去制御信号ＰＥに応じて、ＨＤＤ３６に内蔵されたハードディスクから消去される。それにより、ＨＤＤ３６に内蔵されたハードディスクについて、残記録容量の不足をまねく虞れなく、繰返し利用を図ることができる状況が設定される。
【００３１】
フラッシュメモリ部４０にあっては、動作制御部３３からの書込制御信号ＦＷに応じて、再送要求データＤＲＱの書込みが行われ、再送要求データＤＲＱが、フラッシュメモリ部４０に保存されることになる。そして、フラッシュメモリ部４０に書き込まれた再送要求データＤＲＱは、動作制御部３３からの読出制御信号ＦＲに応じて、フラッシュメモリ部４０から読み出され、再送要求データＤＲＱが、フラッシュメモリ部４０から再生されることになる。
【００３２】
フラッシュメモリ部４０から読み出される再送要求データＤＲＱは、動作制御部３３とＤ／Ａ変換部４１との両者に供給される。Ｄ／Ａ変換部４１からは、再送要求データＤＲＱに基づくアナログ信号である再送要求表示信号ＳＲが得られて、それが番組情報再生部３８に供給される。それにより、番組情報再生部３８に内蔵された画像表示部において、再送要求表示信号ＳＲに応じた再送要求データＤＲＱの内容の画像表示が行われる。即ち、番組情報再生部３８は、フラッシュメモリ部４０から読み出される再送要求データＤＲＱの内容を認識可能に出力する出力手段をも形成していることになる。
【００３３】
Ｄ／Ａ変換部４１からの再送要求表示信号ＳＲが番組情報再生部３８に供給され、番組情報再生部３８に内蔵された画像表示部においてフラッシュメモリ部４０から読み出される再送要求データＤＲＱの内容が画像表示されるもとで、例えば、情報保存処理装置１２の使用者により、入力操作部３９が操作されて、ＴＶ放送局１１に対する情報区分の再送要求を指令する再送要求指令データが、入力操作部３９から動作制御部３３に対する入力データＤＸとして供給され、それに続いてＴＶ放送局１１に対する再送の要求をすべき情報区分を指定すべく、再送要求データＤＲＱについての選択が行われる。斯かる選択は、番組情報再生部３８に内蔵された画像表示部において内容が画像表示される再送要求データＤＲＱの１個もしくは複数個が選択され、入力操作部３９が操作されて得られる、選択された１個もしくは複数個の再送要求データＤＲＱを示す情報区分指定データが、入力操作部３９から動作制御部３３に対する入力データＤＸとして供給されることにより行われる。
【００３４】
情報区分指定データが入力データＤＸとして供給された動作制御部３３は、フラッシュメモリ部４０から得られる再送要求データＤＲＱのうちの情報区分指定データが示すものに基づき、送信用再送要求データＤＲＴを形成して、それをモデム部４２へと送出する。モデム部４２は、送信用再送要求データＤＲＴを伝送用信号ＳＲＴに変換して、それをインターネット１３を介して、ＴＶ放送局１１へと伝送する。
【００３５】
ＴＶ放送局１１においては、インターネット１３を介して伝送された情報保存処理装置１２からの伝送用信号ＳＲＴを受けて、情報区分送信部２５が、伝送用信号ＳＲＴを送信用再送要求データＤＲＴに変換する。そして、情報区分送信部２５は、得られた送信用再送要求データＤＲＴに応答し、その送信用再送要求データＤＲＴに含まれる放送局識別データ，番組識別データ，始端タイミングデータ，終端タイミングデータ，区分数データ及び区分識別データによって特定される選択された情報区分を、番組データバックアップ部２４から取り出して、その選択された情報区分についての再送情報区分データを形成する。この再送情報区分データは、ＴＶ放送局１１をあらわす放送局識別データと選択された情報区分が属する番組あらわす番組識別データと選択された情報区分の内容をあらわす情報本体データとを含んで構成される。さらに、情報区分送信部２５は、再送情報区分データを伝送用信号ＳＵＩに変換し、それをインターネット１３を介して情報保存処理装置１２へと伝送する。即ち、ＴＶ放送局１１は、情報保存処理装置１２からの送信用再送要求データＤＲＴに応じて、情報保存処理装置１２において選択された情報区分を、情報保存処理装置１２に対して再送するのである。
【００３６】
ＴＶ放送局１１における情報区分送信部２５からインターネット１３を介して情報保存処理装置１２へと伝送された伝送用信号ＳＵＩは、情報保存処理装置１２におけるモデム部４２により受けられる。モデム部４２においては、伝送用信号ＳＵＩから再送情報区分データに基づく情報区分データＤＩＵが再生され、その情報区分データＤＩＵがモデム部４２からディジタル情報信号形成部４３に供給される。この情報区分データＤＩＵは，ＴＶ放送局１１における情報区分送信部２５において形成された再送情報区分データに含まれる情報本体データがあらわす選択された情報区分に応じたものである。
【００３７】
ディジタル情報信号形成部４３は、モデム部４２からの情報区分データＤＩＵの到来を知らせるデータ到来検知信号ＳＡを動作制御部３３に供給するとともに、モデム部４２からの情報区分データＤＩＵに基づくディジタル情報区分信号ＤＵＩを形成する。それにより、ディジタル情報信号形成部４３からは、ＴＶ放送局１１によって再送された情報区分がディジタル情報区分信号ＤＵＩの姿をもって得られることになる。
【００３８】
ディジタル情報信号形成部４３から得られるディジタル情報区分信号ＤＵＩは、メモリ手段を形成する情報記録媒体であるハードディスクを内蔵したメモリ部を構成するＨＤＤ４４に供給される。ＨＤＤ４４にあっては、動作制御部３３からの記録制御信号ＱＷに応じて、ディジタル情報区分信号ＤＵＩのハードディスクへの記録が行われ、ディジタル情報区分信号ＤＵＩが、ＨＤＤ４４に内蔵されたハードディスクにより形成されるメモリ手段に保存されることになる。なお、ディジタル情報信号形成部４３は、モデム部４２からの情報区分データＤＩＵの供給が終了したときには、モデム部４２からの情報区分データＤＩＵの到来の終了を知らせるデータ到来検知信号ＳＡを動作制御部に供給する。
【００３９】
ＨＤＤ４４に内蔵されたハードディスクに記録されたディジタル情報区分信号ＤＵＩは、動作制御部３３からの読出制御信号ＱＲに応じて、ハードディスクから読み出され、ディジタル情報区分信号ＤＵＩが、ＨＤＤ４４に内蔵されたハードディスクにより形成されるメモリ手段から再生されることになる。ＨＤＤ４４に内蔵されたハードディスクから読み出されたディジタル情報区分信号ＤＵＩは、ＨＤＤ４４からＤ／Ａ変換部４５に供給され、Ｄ／Ａ変換部４５からディジタル情報区分信号ＤＵＩに基づくアナログ信号である情報区分信号ＳＵが得られて、番組情報再生部３８に供給される。従って、番組情報再生部３８は、情報区分信号ＳＵがあらわす情報の内容を認識可能に出力する状態をとる出力手段をも形成していることになる。
【００４０】
Ｄ／Ａ変換部４５からの情報区分信号ＳＵが供給される番組情報再生部３８にあっては、内蔵された画像表示部において情報区分信号ＳＵに基づく画像、即ち、モデム部４２から得られる情報区分データＤＩＵに基づく番組区分画像が表示されるとともに、内蔵された音声発生部において情報区分信号ＳＵに基づく音声、即ち、モデム部４２から得られる情報区分データＤＩＵに基づく番組区分音声が発せられる。
【００４１】
なお、ＨＤＤ４４に内蔵されたハードディスクに保存されたディジタル情報区分信号ＤＵＩも、必要に応じて、動作制御部３３からＨＤＤ４４に供給される消去制御信号ＱＥに応じて、ＨＤＤ４４に内蔵されたハードディスクから消去される。
【００４２】
上述のようにして、情報保存処理装置１２にあっては、ＴＶ放送局１１から送信される番組データのうちのチューナ部３２により得られる選択された番組データＤＰに基づく番組情報における特定の情報区分が、例えば、情報保存処理装置１２の使用者が所望するものとして選択され、動作制御部３３における再送要求データ形成手段により、選択された情報区分についての再送をＴＶ放送局１１に対して要求するための送信用再送要求データＤＲＴが形成され、それがＴＶ放送局１１に伝送されるべく、動作制御部３３から送出される。斯かる際における選択された番組データＤＰに基づく番組情報における特定の情報区分の選択は、例えば、情報保存処理装置１２の使用者により、ＨＤＤ３６に内蔵されたハードディスクから再生されたディジタル情報信号ＤＩに基づく、番組情報再生部３８に内蔵された画像表示部により表示されるＴＶ放送番組画像及び番組情報再生部３８に内蔵された音声発生部により発せられるＴＶ放送番組音声、を視聴しつつ行われる。
【００４３】
さらに、情報保存処理装置１２にあっては、ＴＶ放送局１１が、伝送された送信用再送要求データＤＲＴに応答して送出する再送情報区分データに基づく、選択された情報区分についてのディジタル情報区分信号ＤＵＩが、ＨＤＤ４４に内蔵されたハードディスクに保存され、その後のＨＤＤ４４に内蔵されたハードディスクからの再生に供される。
【００４４】
その結果、情報保存処理装置１２によれば、情報供給源であるＴＶ放送局１１からの番組情報のうちの選択されたものについて、編集再記録操作等の煩わしい操作を要することなく、それにおける所望の情報区分のみ保存して、その後の再生に供することができることになる。
【００４５】
選択された番組データＤＰに基づく番組情報における特定の情報区分の選択は、具体的には、例えば、図３に示されるように、番組データに含まれる番組本体データのうちの一部を成す情報区分が、番組本体データに付されたタイムスタンプデータによって特定されることになるものとして行われる。図３は、一つの番組本体データについて二つの情報区分が特定される場合であり、第１の情報区分が、その始端に対応する始端タイムスタンプデータt1:1s とその終端に対応する終端タイムスタンプデータt1:1e とによって特定され、第２の情報区分が、その始端に対応する始端タイムスタンプデータt1:2s とその終端に対応する終端タイムスタンプデータt1:2e とによって特定されている。
【００４６】
このようにして得られる選択された情報区分について動作制御部３３により形成される送信用再送要求データＤＲＴは、例えば、図４に示されるように、放送局識別データＩＤＳ，番組識別データＩＤＰ，区分識別データｔ１及び区分データが順次連なって形成されるものとされる。そして、区分データは、「２」をあらわす区分数データ，始端タイムスタンプデータt1:1s がそのまま用いられた始端タイミングデータt1:1s ，終端タイムスタンプデータt1:1e がそのまま用いられた終端タイミングデータt1:1ｅ，始端タイムスタンプデータt1:2s がそのまま用いられた始端タイミングデータt1:2s 、及び、終端タイムスタンプデータt1:2e がそのまま用いられた終端タイミングデータt1:2ｅが順次連なって形成される。
【００４７】
図４に示される送信用再送要求データＤＲＴに対し、それに応答するＴＶ放送局１１における情報区分送信部２５によって形成される再送情報区分データは、例えば、図５に示されるように、放送局識別データＩＤＳ，番組識別データＩＤＰ，区分識別データｔ１及び情報本体データが順次連なって形成されるものとされる。そして、情報本体データは、図３に示される番組本体データにおける始端タイムスタンプデータt1:1s と終端タイムスタンプデータt1:1e とによって特定される第１の情報区分と、図３に示される番組本体データにおける始端タイムスタンプデータt1:2s と終端タイムスタンプデータt1:2e とによって特定される第２の情報区分と、を含んだものとされる。
【００４８】
図６は、選択された番組データＤＰに基づく番組情報における特定の情報区分の選択にあたり、一つの番組本体データについて三つの情報区分が特定される場合であり、第１の情報区分が始端タイムスタンプデータt2:1s と終端タイムスタンプデータt2:1e とによって特定され、第２の情報区分が始端タイムスタンプデータt2:2s と終端タイムスタンプデータt2:2e とによって特定され、第３の情報区分が始端タイムスタンプデータt2:3s と終端タイムスタンプデータt2:3e とによって特定されている。
【００４９】
このようにして得られる選択された情報区分について動作制御部３３により形成される送信用再送要求データＤＲＴは、例えば、図７に示されるように、放送局識別データＩＤＳ，番組識別データＩＤＰ，区分識別データｔ２及び区分データが順次連なって形成されるものとされる。そして、区分データは、「３」をあらわす区分数データ，始端タイムスタンプデータt2:1s がそのまま用いられた始端タイミングデータt2:1s ，終端タイムスタンプデータt2:1e がそのまま用いられた終端タイミングデータt2:1ｅ，始端タイムスタンプデータt2:2s がそのまま用いられた始端タイミングデータt2:2s ，終端タイムスタンプデータt2:2e がそのまま用いられた終端タイミングデータt2:2ｅ，始端タイムスタンプデータt2:3s がそのまま用いられた始端タイミングデータt2:3s 、及び、終端タイムスタンプデータt2:3e がそのまま用いられた終端タイミングデータt2:3ｅが順次連なって形成される。
【００５０】
図７に示される送信用再送要求データＤＲＴに対し、それに応答するＴＶ放送局１１における情報区分送信部２５によって形成される再送情報区分データは、例えば、図８に示されるように、放送局識別データＩＤＳ，番組識別データＩＤＰ，区分識別データｔ２及び情報本体データが順次連なって形成されるものとされる。そして、情報本体データは、図６に示される番組本体データにおける始端タイムスタンプデータt2:1s と終端タイムスタンプデータt2:1e とによって特定される第１の情報区分と、図６に示される番組本体データにおける始端タイムスタンプデータt2:2s と終端タイムスタンプデータt2:2e とによって特定される第２の情報区分と、図６に示される番組本体データにおける始端タイムスタンプデータt2:3s と終端タイムスタンプデータt2:3e とによって特定される第３の情報区分と、を含んだものとされる。
【００５１】
図９に示されるように、図３に示される番組本体データにおける第１及び第２の情報区分の特定と、図６に示される番組本体データにおける第１，第２及び第３の情報区分の特定とが、共通の番組本体データについて行われる場合には、図６に示される始端タイムスタンプデータt2:1s と終端タイムスタンプデータt2:1e とによって特定される第１の情報区分が、図３に示される始端タイムスタンプデータt1:1s と終端タイムスタンプデータt1:1e とによって特定される第１の情報区分に包含される関係にあるもとで、例えば、図１０に示されるような送信用再送要求データＤＲＴが形成される。
【００５２】
図１０に示されるような送信用再送要求データＤＲＴは、放送局識別データＩＤＳ，番組識別データＩＤＰ，区分識別データＣ１及び区分データが順次連なって形成されるものとされる。区分識別データＣ１は、図４に示される区分識別データｔ１の内容と図７に示される区分識別データｔ２の内容とを包含した内容を有する。また、図１０に示される区分データは、「４」をあらわす区分数データ，始端タイムスタンプデータt1:1s がそのまま用いられた始端タイミングデータt1:1s ，終端タイムスタンプデータt1:1e がそのまま用いられた終端タイミングデータt1:1ｅ，始端タイムスタンプデータt2:2s がそのまま用いられた始端タイミングデータt2:2s ，終端タイムスタンプデータt2:2e がそのまま用いられた終端タイミングデータt2:2ｅ，始端タイムスタンプデータt1:2s がそのまま用いられた始端タイミングデータt1:2s ，終端タイムスタンプデータt1:2e がそのまま用いられた終端タイミングデータt1:2ｅ，始端タイムスタンプデータt2:3s がそのまま用いられた始端タイミングデータt2:3s 、及び、終端タイムスタンプデータt2:3e がそのまま用いられた終端タイミングデータt2:3ｅが順次連なって形成される。
【００５３】
図１０に示される送信用再送要求データＤＲＴに対し、それに応答するＴＶ放送局１１における情報区分送信部２５によって形成される再送情報区分データは、例えば、図１１に示されるように、放送局識別データＩＤＳ，番組識別データＩＤＰ，区分識別データＣ１及び情報本体データが順次連なって形成されるものとされる。そして、図１１に示される情報本体データは、図９に示される番組本体データにおける始端タイムスタンプデータt1:1s と終端タイムスタンプデータt1:1e とによって特定される情報区分と、図９に示される番組本体データにおける始端タイムスタンプデータt2:2s と終端タイムスタンプデータt2:2e とによって特定される情報区分と、図９に示される番組本体データにおける始端タイムスタンプデータt1:2s と終端タイムスタンプデータt1:2e とによって特定される情報区分と、図９に示される番組本体データにおける始端タイムスタンプデータt2:3s と終端タイムスタンプデータt2:3e とによって特定される情報区分と、を含んだものとされる。
【００５４】
なお、上述の図４，図７，図１０に夫々示される区分識別データｔ１，ｔ２，Ｃ１等の区分識別データは、情報保存処理装置１２の使用者が、例えば、その判別を容易にするためのコメント等を追加することができるようにされてもよい。区分識別データに使用者によるコメントが追加されている場合には、ＴＶ放送局１１に対する再送の要求をすべき情報区分を指定すべく行われる再送要求データＤＲＱについての選択が容易とされる。
【００５５】
図１２は、動作制御部３３が、再送要求データＤＲＱを形成してフラッシュメモリ４０に保存する一連の動作を行うにあたって実行する制御プログラムの一例をあらわすフローチャートを示す。
【００５６】
図１２に示されるフローチャートによりあらわされる制御プログラムにあっては、スタート後、ステップ５１において、入力操作部３９からの入力データＤＸとして番組選択データが到来したか否かを判断する。その結果、番組選択データが到来していなければステップ５１での判断を繰り返し、番組選択データが到来したときには、ステップ５２において、制御信号ＳＳをスイッチ３５へと送出し、スイッチ３５に可動接点３５ｃが選択接点３５ｂに接続される状態をとらせる。さらに、ステップ５３において、読出制御信号ＰＲをＨＤＤ３６へと送出し、ＨＤＤ３６におけるハードディスクに保存されたディジタル情報信号ＤＩがハードディスクから読み出されて再生される状態となす。
【００５７】
次に、ステップ５４において、入力操作部３９からの入力データＤＸとして放送局及び番組をあらわすデータが到来したか否かを判断する。その結果、放送局及び番組をあらわすデータが到来していなければステップ５４での判断を繰り返し、放送局及び番組をあらわすデータが到来したときには、ステップ５５において、放送局及び番組をあらわすデータに基づき、放送局識別データと番組識別データとを作成する。
【００５８】
続いて、ステップ５６において、入力操作部３９からの入力データＤＸとして始端タイムスタンプデータが到来したか否かを判断する。その結果、始端タイムスタンプデータが到来していない場合には、ステップ５７において、ステップ５５で放送局識別データと番組識別データとを作成した後、所定の持間が経過したか否かを判断する。その結果、所定の時間が経過していなければ、ステップ５６に戻り、所定の時間が経過したときには、ステップ５１に戻る。
【００５９】
また、ステップ５６での判断の結果、始端タイムスタンプデータが到来した場合には、ステップ５８において、始端タイムスタンプデータに基づく始端タイミングデータを作成して、ステップ５９に進む。ステップ５９においては、入力操作部３９からの入力データＤＸとして終端タイムスタンプデータが到来したか否かを判断する。その結果、終端タイムスタンプデータが到来していない場合には、ステップ５９での判断を繰り返し、終端タイムスタンプデータが到来したときには、ステップ６０において、終端タイムスタンプデータに基づく終端タイミングデータを作成して、ステップ６１に進む。
【００６０】
ステップ６１においては、入力操作部３９からの入力データＤＸとして選択区分識別データが到来したか否かを判断する。その結果、選択区分識別データが到来していない場合には、ステップ６１での判断を繰り返し、選択区分識別データが到来したときには、ステップ６２において、選択区分識別データに基づく区分識別データを作成して、ステップ６３に進む。
【００６１】
ステップ６３においては、情報区分の選択が終了したか否かを判断する。その結果、情報区分の選択が終了していない場合には、ステップ６４において、ステップ６２で区分識別データを作成した後、所定の持間が経過したか否かを判断する。その結果、所定の時間が経過していなければ、ステップ６３に戻り、所定の時間が経過したときには、ステップ５６に戻る。
【００６２】
一方、ステップ６３での判断の結果、情報区分の選択が終了した場合には、ステップ６５において、読出制御信号ＰＲのＨＤＤ３６への送出を停止し、ＨＤＤ３６におけるハードディスクに保存されたディジタル情報信号ＤＩのハードディスクからの読出しが停止される状態として、ステップ６６に進む。ステップ６６においては、ステップ５５で得られた放送局識別データ及び番組識別データ，ステップ５８で得られた始端タイミングデータ，ステップ６０で得られた終端タイミングデータ，ステップ６２で得られた区分識別データ等を再送要求データＤＲＱとして、フラッシュメモリ部４０に供給するとともに、書込制御信号ＦＷをフラッシュメモリ部４０へと送出して、再送要求データＤＲＱをフラッシュメモリ部４０に格納し、その後、ステップ５１に戻る。
【００６３】
図１３は、動作制御部３３が、送信用再送要求データＤＲＴについてのＴＶ放送局１１への伝送を行うとともに、ＴＶ放送局１１から再送された情報区分データＤＩＵに基づくディジタル情報区分信号ＤＵＩをＨＤＤ４４におけるハードディスクに保存し、さらに、ＨＤＤ４４におけるハードディスクからディジタル情報区分信号ＤＵＩを再生する一連の動作を行うにあたって実行する制御プログラムの一例をあらわすフローチャートを示す。
【００６４】
図１３に示されるフローチャートによりあらわされる制御プログラムにあっては、スタート後、ステップ７１において、入力操作部３９からの入力データＤＸとして再送要求指令データが到来したか否かを判断する。その結果、再送要求指令データが到来していなければステップ７１での判断を繰り返し、再送要求指令データが到来したときには、ステップ７２において、読出制御信号ＦＲをフラッシュメモリ部４０へと送出して、フラッシュメモリ部４０から再送要求データＤＲＱを読み出して再生する。それによりフラッシュメモリ部４０から得られる再送要求データＤＲＱは、動作制御部３３とＤ／Ａ変換部４１とに供給される。
【００６５】
続いて、ステップ７３において、入力操作部３９からの入力データＤＸとして情報区分指定データが到来したか否かを判断する。その結果、情報区分指定データが到来していない場合には、ステップ７４において、ステップ７２でフラッシュメモリ部４０から再送要求データＤＲＱを読み出して再生した後、所定の持間が経過したか否かを判断する。その結果、所定の時間が経過していなければ、ステップ７３に戻り、所定の時間が経過したときには、ステップ７１に戻る。
【００６６】
また、ステップ７３での判断の結果、情報区分指定データが到来した場合には、ステップ７５において、フラッシュメモリ部４０から再生された再送要求データＤＲＱのうちの情報区分指定データに従って選択されたものに基づく送信用再送要求データＤＲＴを作成し、それをモデム部４２へと送出して、ステップ７６に進む。
【００６７】
ステップ７６においては、ディジタル情報信号形成部４３から供給されるデータ到来検知信号ＳＡにより、モデム部４２からの情報区分データＤＩＵがディジタル情報信号形成部４２に到来したか否かを判断する。その結果、情報区分データＤＩＵがディジタル情報信号形成部４２に到来していない場合には、ステップ７６での判断を繰り返し、情報区分データＤＩＵがディジタル情報信号形成部４３に到来したときには、ステップ７７において、記録制御信号ＱＷをＨＤＤ４４へと送出する。それにより、ディジタル情報信号形成部４３からＨＤＤ４４に供給されるディジタル情報区分信号ＤＵＩが、ＨＤＤ４４におけるハードディスクに記録されて保存される。
【００６８】
次に、ステップ７８において、ディジタル情報信号形成部４３から供給されるデータ到来検知信号ＳＡにより、ディジタル情報信号形成部４３におけるモデム部４２からの情報区分データＤＩＵの到来が終了したか否かを判断する。その結果、ディジタル情報信号形成部４３におけるモデム部４２からの情報区分データＤＩＵの到来が終了していない場合には、ステップ７８での判断を繰り返し、ディジタル情報信号形成部４３におけるモデム部４２からの情報区分データＤＩＵの到来が終了したときには、ステップ７９において、記録制御信号ＱＷのＨＤＤ４４への送出を停止して、ステップ８０に進む。
【００６９】
ステップ８０においては、入力操作部３９からの入力データＤＸとして情報区分再生指令データが到来したか否かを判断する。その結果、情報区分再生指令データが到来していない場合には、ステップ８１において、ステップ７９で記録制御信号ＱＷのＨＤＤ４４への送出を停止した後、所定の持間が経過したか否かを判断する。その結果、所定の時間が経過していなければ、ステップ８０に戻り、所定の時間が経過したときには、ステップ７１に戻る。
【００７０】
一方、ステップ８０での判断の結果、情報区分再生指令データが到来したときには、ステップ８２において、読出制御信号ＱＲをＨＤＤ４４へと送出する。それにより、ＨＤＤ４４におけるハードディスクに保存されたディジタル情報区分信号ＤＵＩが、ＨＤＤ４４におけるハードディスクから再生されて、Ｄ／Ａ変換部４５に供給される。
【００７１】
その後、ステップ８３において、ＨＤＤ４４におけるハードディスクからのディジタル情報区分信号ＤＵＩの再生が終了したか否かを判断する。その結果、ＨＤＤ４４におけるハードディスクからのディジタル情報区分信号ＤＵＩの再生が終了していない場合には、ステップ８３での判断を繰り返し、ＨＤＤ４４におけるハードディスクからのディジタル情報区分信号ＤＵＩの再生が終了したときには、ステップ８４において、読出制御信号ＱＲのＨＤＤ４４への送出を停止して、ステップ８５に進む。
【００７２】
ステップ８５においては、入力操作部３９からの入力データＤＸに基づいて、情報区分の指定が終了したか否かを判断する。その結果、情報区分の指定が終了していなければ、ステップ７３に戻り、情報区分の指定が終了したときには、ステップ７１に戻る。
【００７３】
上述の本願の特許請求の範囲における請求項１から請求項１０までのいずれかに記載された発明に係る情報保存処理装置の一例である情報保存処理装置１２にあっては、ＨＤＤ３６とＨＤＤ４４とが個別に設けられて、夫々がメモリ手段を形成するハードディスクを備え、ＨＤＤ３６におけるハードディスクがディジタル情報信号ＤＩの保存及び再生に用いられ、ＨＤＤ４４におけるハードディスクがディジタル情報区分信号ＤＵＩの保存及び再生に用いられているが、例えば、ＨＤＤ３６とＨＤＤ４４とが一体化されて共通のメモリ手段を形成するハードディスク等の情報記録媒体を備えるものとされ、その情報記録媒体における互いに異なる記録領域が、夫々、ディジタル情報信号ＤＩの保存及び再生とディジタル情報区分信号ＤＵＩの保存及び再生とに用いられるようにされてもよい。
【００７４】
さらに、情報保存処理装置１２は、ＴＶ放送局１１からのＴＶ放送番組情報についての保存処理を行うものとされているが、本願の特許請求の範囲における請求項１から請求項１０までのいずれかに記載された発明に係る情報保存処理装置は、斯かる例に限られるものではなく、上述の情報保存処理装置１２の場合と同様に、例えば、ラジオ放送局からのラジオ放送番組情報、あるいは、コンピュータ通信ネットワークにおけるサーバー等からの情報等々についての保存処理を行うものとされ得るものである。
【産業上の利用可能性】
【００７５】
上述のような本願の特許請求の範囲における請求項１から請求項１０までのいずれかに記載された発明に係る情報保存処理装置は、ＴＶ放送局，ラジオ放送局，コンピュータ通信ネットワークにおけるサーバー等々の情報供給源から供給される番組情報等の情報における選択された情報区分についての保存と再生とを、編集再記録操作等を伴うことなく容易に行うことができるものとして、広範に利用され得るものである。
【図面の簡単な説明】
【００７６】
【図１】本願の特許請求の範囲における請求項１から請求項１０までのいずれかに記載された発明に係る情報保存処理装置の一例を、ＴＶ放送番組情報を送受信する情報送受信システムに適用された状態をもって示すブロック接続図である。
【図２】ＴＶ放送局において形成される番組データの説明に供されるデータ構成図である。
【図３】本願の特許請求の範囲における請求項１から請求項１０までのいずれかに記載された発明に係る情報保存処理装置の一例の動作説明に供されるデータ構成図である。
【図４】本願の特許請求の範囲における請求項１から請求項１０までのいずれかに記載された発明に係る情報保存処理装置の一例の動作説明に供されるデータ構成図である。
【図５】ＴＶ放送局において形成される再送情報区分データの説明に供されるデータ構成図である。
【図６】本願の特許請求の範囲における請求項１から請求項１０までのいずれかに記載された発明に係る情報保存処理装置の一例の動作説明に供されるデータ構成図である。
【図７】本願の特許請求の範囲における請求項１から請求項１０までのいずれかに記載された発明に係る情報保存処理装置の一例の動作説明に供されるデータ構成図である。
【図８】ＴＶ放送局において形成される再送情報区分データの説明に供されるデータ構成図である。
【図９】本願の特許請求の範囲における請求項１から請求項１０までのいずれかに記載された発明に係る情報保存処理装置の一例の動作説明に供されるデータ構成図である。
【図１０】本願の特許請求の範囲における請求項１から請求項１０までのいずれかに記載された発明に係る情報保存処理装置の一例の動作説明に供されるデータ構成図である。
【図１１】ＴＶ放送局において形成される再送情報区分データの説明に供されるデータ構成図である。
【図１２】本願の特許請求の範囲における請求項１から請求項１０までのいずれかに記載された発明に係る情報保存処理装置の一例における動作制御部が、再送要求データを形成してフラッシュメモリに保存する一連の動作を行うにあたって実行する制御プログラムの一例をあらわすフローチャートである。
【図１３】本願の特許請求の範囲における請求項１から請求項１０までのいずれかに記載された発明に係る情報保存処理装置の一例における動作制御部が、送信用再送要求データについてのＴＶ放送局への伝送を行うとともに、ＴＶ放送局から再送された情報区分データに基づくディジタル情報区分信号をＨＤＤにおけるハードディスクに保存し、さらに、ＨＤＤにおけるハードディスクからディジタル情報区分信号を再生する一連の動作を行うにあたって実行する制御プログラムの一例をあらわすフローチャートである。
【符号の説明】
【００７７】
１１・・・ＴＶ放送局，  １２・・・情報保存処理装置，  １３・・・インターネット，  ２１・・・番組データ形成部，  ２２・・・番組データ送信部，  ２４・・・番組データバックアップ部，  ２５・・・情報区分送信部，  ３２・・・チューナ部，  ３３・・・動作制御部，  ３４，４３・・・ディジタル情報信号形成，  ３５・・・スイッチ，  ３６，４４・・・ＨＤＤ，  ３７，４１，４５・・・Ｄ／Ａ変換部，  ３８・・・番組情報再生部，  ３９・・・入力操作部，  ４０・・・フラッシュメモリ部，  ４２・・・モデム部
【図１】
2005223376.tif 000003
【図２】
2005223376.tif 000004
【図３】
2005223376.tif 000005
【図４】
2005223376.tif 000006
【図５】
2005223376.tif 000007
【図６】
2005223376.tif 000008
【図７】
2005223376.tif 000009
【図８】
2005223376.tif 000010
【図９】
2005223376.tif 000011
【図１０】
2005223376.tif 000012
【図１１】
2005223376.tif 000013
【図１２】
2005223376.tif 000014
【図１３】
2005223376.tif 000015